(57)【要約】【課題】表示装置において複数の装飾部材や固定部材等を共通でキャビネット等に固定する技術を提供する。【解決手段】液晶テレビにおいて、スピーカーカバー３０のカバー上部固定部３２は第１のスリット２３へ挿入され、カバー下部固定部３３は第２のスリット２４に挿入され取り付けられる。また、トリム４０は第１のスリット２３にカバー上部固定部３２と共通に挿入され取り付けられる。取り付け後は、スピーカーカバー３０が上下方向に広がろうとする力によってトリム４０が第１のスリット２３の上側面に押される。その結果、スピーカーカバー３０、トリム４０の取り付け構造は、ガタつきがない状態となる。【選択図】図５
2014232259.tif 000002
【特許請求の範囲】
【請求項１】
第１の固定部材と第２の固定部材とがキャビネットに隣接して固定された構造を備える表示装置であって、
前記キャビネットは、前記第１の固定部材と前記第２の固定部材を共通に取り付ける第１のスリットと、前記第２の固定部材を取り付ける第２のスリットとを有し、
前記第１の固定部材は、細長い弾性材料で形成されており、その後端が前記第１のスリットに取り付けられる固定部を有し、
前記第２の固定部材は、略板状の固定部本体と、前記固定部本体の相互に対向する端部において後方向に延出して形成され前記キャビネットに固定される第１及び第２のカバー固定部を有し、
前記第１のスリットには、前記第１の固定部材の固定部と前記第２の固定部材の前記第１のカバー固定部とが共通に挿入され固定され、
前記第２のスリットには、前記第２の固定部材の前記第２のカバー固定部が固定され、
前記第１の固定部材と前記第２の固定部材とが前記第１のスリット及び前記第２のスリットに固定された状態で、前記第１のスリットにおいて、前記第２の固定部材は前記第１の固定部材を前記第１のスリットの外縁へ押しつけるように付勢力を作用させる
ことを特徴とする表示装置。
【請求項２】
前記第１のスリットは、前記第１の固定部材の前記固定部を係止するためにスリット外縁からから突出する第１の係止部と、前記第２の固定部材の前記第１のカバー固定部を係止するために前記スリット外縁から突出する第２の係止部を備える
ことを特徴とする請求項１に記載の表示装置。
【請求項３】
前記第１の固定部材と前記第２の固定部材とが前記第１のスリット及び前記第２のスリットに固定された状態で、前記第２の固定部材において前記第１のスリットの外縁と所定距離離間していることを特徴とする請求項１に記載の表示装置。
【発明の詳細な説明】
【技術分野】
【０００１】
本発明は、表示装置においてトリムやスピーカーカバー等の固定部材をキャビネット等に固定する技術に関する。
【背景技術】
【０００２】
近年、液晶テレビに代表される薄型表示装置では、その性能、品位向上が進んでいる。外観的にも、薄型、軽量、狭額縁化がさらに進み、装飾部材（固定部材）であるフロントのトリムやスピーカーカバーのレイアウトもそれに応じて、薄く、細い構成となっている。
【０００３】
しかしながら、それら装飾部材のレイアウトを薄く、細い構成とするためには、取付構造の制約が大きくなり、安定した固定が困難となる。そのため、狭い構造に対応し安定して固定できる構造が各種提案されている。
【０００４】
例えば、トリム等の装飾部材に関して、その装飾部材を曲げて挿入し、発生する弾性力で安定して固定させようとする技術がある（例えば、特許文献１参照）。
【先行技術文献】
【特許文献】
【０００５】
【特許文献１】特開２０１０−８９４２６号公報
【発明の概要】
【発明が解決しようとする課題】
【０００６】
ところで、上述のような表示装置における薄型化や狭額縁化の一層の進展に伴い、複数の固定部材を共通で固定することでスペースの有効活用を実現する技術が必要となっていた。特許文献１に開示の技術では、トリムのみの固定方法が開示されているが、他の固定部材の取り付けに関しては何ら考慮がされておらず、別の技術が求められていた。
【０００７】
本発明は以上のような状況に鑑みなされたものであって、上記課題を解決する技術を提供することを目的とする。
【課題を解決するための手段】
【０００８】
本発明は、第１の固定部材と第２の固定部材とがキャビネットに隣接して固定された構造を備える表示装置であって、前記キャビネットは、前記第１の固定部材と前記第２の固定部材を共通に取り付ける第１のスリットと、前記第２の固定部材を取り付ける第２のスリットとを有し、前記第１の固定部材は、細長い弾性材料で形成されており、その後端が前記第１のスリットに取り付けられる固定部を有し、前記第２の固定部材は、前記キャビネットを覆う固定部本体と、前記固定部本体の相互に対向する端部において後方向に延出して形成され前記キャビネットに固定される第１及び第２のカバー固定部を有し、前記第１のスリットには、前記第１の固定部材の固定部と前記第２の固定部材の前記第１のカバー固定部とが共通に挿入され固定され、前記第２のスリットには、前記第２の固定部材の前記第２のカバー固定部が固定され、前記第１の固定部材と前記第２の固定部材とが前記第１のスリット及び前記第２のスリットに固定された状態で、前記第１のスリットにおいて、前記第２の固定部材は前記第１の固定部材を前記第１のスリットの外縁へ押しつけるように付勢力を作用させる。
また、前記第１のスリットは、前記第１の固定部材の前記固定部を係止するためにスリット外縁からから突出する第１の係止部と、前記第２の固定部材の前記第１のカバー固定部を係止するために前記スリット外縁から突出する第２の係止部を備えてもよい。
また、前記第１の固定部材と前記第２の固定部材とが前記第１のスリット及び前記第２のスリットに固定された状態で、前記第２の固定部材において前記第１のスリットの外縁と所定距離離間してもよい。
【発明の効果】
【０００９】
本発明によれば、表示装置において複数の固定部材（装飾部材）等を共通でキャビネット等に固定する技術を提供することができる。
【図面の簡単な説明】
【００１０】
【図１】実施形態に係る、液晶テレビを示す図である。
【図２】実施形態に係る、スピーカーカバーとトリムが取り付けられた状態のフロントカバーを示す図である。
【図３】実施形態に係る、フロントカバーの一部を拡大して示す図である。
【図４】実施形態に係る、スピーカーカバーとトリムが取り付けられた状態のフロントカバーの断面図である。
【図５】実施形態に係る、図４（ｃ）の一部を拡大して示す図である。
【図６】実施形態に係る、図４（ｄ）の一部を拡大して示す図である。
【図７】実施形態に係る、スピーカーカバーとトリムが取り外された状態のフロントカバーを示す図である。
【図８】実施形態に係る、スピーカーカバーとトリムが取り外された状態のフロントカバーの断面図である。
【図９】実施形態に係る、スピーカーカバーを示す図である。
【図１０】実施形態に係る、スピーカーカバーの断面図である。
【図１１】実施形態に係る、トリムを示す図である。
【図１２】実施形態に係る、トリムの断面図である。
【発明を実施するための形態】
【００１１】
次に、本発明を実施するための形態（以下、単に「実施形態」という）を、図面を参照して具体的に説明する。
【００１２】
図１は本実施形態に係る液晶テレビ１０を示す。図示のように、液晶テレビ１０は、表示パネル１２の下側部分にフロントカバー２０を備える。フロントカバー２０の内部にはスピーカユニット等が配置される。さらにフロントカバー２０の表面には、図示正面視で左右方向に延びるスピーカーカバー３０と、スピーカーカバー３０の図示上側にシャイントリム（以下、「トリム４０」と称する。）が隣接して上下に重なるように配置され取り付けられている。ここでは、スピーカーカバー３０の中央上側が所定円弧形状に切り欠いたように凹んでいるため、その部分を除いたスピーカーカバー３０上側の左右にそれぞれトリム４０が取り付けられている。
【００１３】
以下、本実施形態において特徴的である構造、すなわちスピーカーカバー３０とトリム４０のフロントカバー２０への取り付け構造について詳細に説明する。なお、本実施形態では、表示装置として液晶テレビ１０について例示するが、他に有機ＥＬテレビ等についても適用可能である。また、フロントカバー２０へ取り付ける第１の固定部材（装飾部材）としてトリム４０を、また第２の固定部材（装飾部材）としてスピーカーカバー３０について例示するが、以下で説明する同様の取り付け構造を有する固定部材についても適用可能である。
【００１４】
図２はスピーカーカバー３０とトリム４０が取り付けられた状態のフロントカバー２０を示す図であって、図２（ａ）は正面図、図２（ｂ）は背面図、図２（ｃ）は側面図である。図３はフロントカバーの一部を拡大して示す図であって、図３（ａ）はスピーカーカバー３０とトリム４０とが取り付けられた状態を示し、図３（ｂ）はスピーカーカバー３０とトリム４０とが取り外された状態を示す。図４はスピーカーカバー３０とトリム４０とが取り付けられた状態のフロントカバー２０の断面図であって、図４（ａ）は図２（ｂ）のＸ１−Ｘ１断面図、図４（ｂ）は図２（ｂ）のＸ２−Ｘ２断面図、図４（ｃ）は図２（ｂ）のＸ３−Ｘ３断面図、図４（ｄ）は図２（ｂ）のＸ４−Ｘ４断面図を示す。
【００１５】
図５は図４（ｃ）の一部を拡大して示す図であって、スピーカーカバー３０とトリム４０のフロントカバー２０への取り付け構造を詳細に示している。図６は図４（ｄ）の一部を拡大して示す図であって、スピーカーカバー３０とトリム４０のフロントカバー２０への取り付け構造を詳細に示している。
【００１６】
また、図７はスピーカーカバー３０とトリム４０が取り外された状態のフロントカバー２０を示す図であって、図７（ａ）は正面図、図７（ｂ）は背面図、図７（ｃ）は側面図をある。なお、図７（ａ）〜（ｃ）はそれぞれ図２（ａ）〜（ｃ）に対応する。図８はスピーカーカバー３０とトリム４０が取り外された状態のフロントカバー２０の断面図であって、図８（ａ）は図７（ｂ）のＹ１−Ｙ１断面図、図８（ｂ）は図７（ｂ）のＹ２−Ｙ２断面図、図８（ｃ）は図７（ｂ）のＹ３−Ｙ３断面図、図８（ｄ）は図７（ｂ）のＹ４−Ｙ４断面図を示す。
【００１７】
フロントカバー２０は樹脂成形品であって、液晶テレビ１０の表面の一部として露出するカバー本体２１と、表示パネル１２に取り付けられ内部に隠れるカバー取付部２２とを備える。
【００１８】
例えば、図２や図７に示すように、カバー本体２１は正面視で左右方向に延びる略長方形形状となっている。また、図４や図８に示すように、断面視では、カバー本体２１は、スピーカーカバー３０等が取り付けられる部分が前側に凸状に湾曲しており、その下側部分が傾斜して後方へ向かって形成されている。
【００１９】
カバー本体２１の湾曲している部分には、横方向に向かって延出する平行な２本の直線状のスリット（第１のスリット２３及び第２のスリット２４）が形成されている。詳細な構造は図５や図６を用いて後述するが、第１のスリット２３にはトリム４０とスピーカーカバー３０のカバー上部固定部３２が共通に密着して挿入され固定される。また、第２のスリット２４にはスピーカーカバー３０のカバー下部固定部３３が挿入される。
【００２０】
第１のスリット２３には、挿入されたスピーカーカバー３０とトリム４０とを嵌合して係止させるためのトリム係止片２７とカバー上部係止片２８が設けられている。具体的には、第１のスリット２３には所定間隔で第１の係止開口２５が形成されている。第１の係止開口２５は、カバー本体２１の表裏を連通する矩形の開口である。第１の係止開口２５の上側外縁奥側には下方向に凸状のトリム係止片２７が形成されている。また、第１のスリット２３のスリット外縁２３ａ、より具体的には、第１の係止開口２５の下側外縁奥側には上方向に凸状のカバー上部係止片２８が形成されている。トリム係止片２７とカバー上部係止片２８とは完全には対向せずに左右方向に相対的にずれて形成されている。
【００２１】
また、第２のスリット２４にも、スピーカーカバー３０のカバー下部固定部３３を係止するための第２の係止開口及びその上側外縁奥側（スリット外縁２４ａ）から下方に凸状のカバー下部係止片２９が形成されている。
【００２２】
図９はスピーカーカバー３０を示す図であって、図９（ａ）は平面図（上面図）、図９（ｂ）は正面図、図９（ｃ）は底面図、図９（ｄ）は背面図、図９（ｅ）は側面図、図９（ｆ）は斜視図である。図１０はスピーカーカバー３０の断面図であって、図１０（ａ）は図９（ｂ）のＺ１−Ｚ１断面図、図１０（ｂ）は図９（ｂ）のＺ２−Ｚ２断面図、図１０（ｃ）は図９（ｂ）のＺ３−Ｚ３断面図、図１０（ｄ）は図９（ｂ）のＺ４−Ｚ４断面図を示す。
【００２３】
図示のように、スピーカーカバー３０は、カバー前面本体３１と、カバー上部固定部３２と、カバー下部固定部３３とを備えている。カバー前面本体３１は、正面視で略長方形形状を呈し、カバー本体２１の２つスリット（第１のスリット２３、第２のスリット２４）の間の領域を覆うように形成されている。また、断面視では、カバー前面本体３１は、フロントカバー２０（カバー本体２１）の形状に対応して前方向へ凸状に湾曲して形成されている。
【００２４】
また、カバー前面本体３１の上端には、カバー前面本体３１から折り曲がって後方に延出するカバー上部固定部３２が形成されている。カバー上部固定部３２には所定間隔で更に後方に延びる上部固定舌部３４が形成されている。上部固定舌部３４には、上述のカバー本体２１の第１のスリット２３に形成されているカバー上部係止片２８に係止するように上係止開口３５が形成されている。
【００２５】
カバー前面本体３１の下端には、カバー前面本体３１から折り曲がって一端上方に向かってさらに後方に折り曲がるカバー下部固定部３３が形成されている。後方におり曲がる領域は下部固定舌部３６となっており、下係止開口３７が形成されている。下係止開口３７に第２のスリット２４に形成されたカバー下部係止片２９が形成する。
【００２６】
図１１はトリム４０を示す図であって、図１１（ａ）は正面図、図１１（ｂ）は平面図（上面図）、図１１（ｃ）は底面図、図１１（ｄ）は背面図、図１１（ｅ）は側面図、図１１（ｆ）は斜視図である。図１２はトリム４０の断面図であって、図１１のＷ１−Ｗ１断面図を示す。
【００２７】
トリム４０は細長いゴム等の弾性体で形成されており、トリム前部４１が液晶テレビ１０の前面に露出する。また、第１のスリット２３に挿入されるトリム後部４２は、その上面の所定位置に溝部４３を形成し固定部として機能する。トリム４０が第１のスリット２３に挿入されたときに、溝部４３とトリム係止片２７が係止する。また、トリム４０の下面４４は、カバー上部固定部３２と当接し上方向に付勢される。
【００２８】
以上の構成のフロントカバー２０、スピーカーカバー３０及びトリム４０について、主に図５及び図６を参照して固定構造を取り付け手順とともに詳細に説明する。
【００２９】
まず、スピーカーカバー３０が、フロントカバー２０のカバー本体２１に形成されている第１のスリット２３、第２のスリット２４に挿入される。このとき、カバー上部係止片２８と上係止開口３５とが嵌合・係止され、同様に、カバー下部係止片２９と下係止開口３７とが嵌合・係止される。この状態では、スピーカーカバー３０は仮止め状態となっている。また、カバー下部固定部３３は、下部固定舌部３６の一部が第２のスリット２４のスリット上縁２４ａに実質的に当接して位置決めが決まった状態となる。
【００３０】
一方、カバー上部固定部３２はカバー上部係止片２８と係止するものの、第１のスリット２３のスリット下縁２３ｂとは離間した状態となって、いわゆるフリーな状態にある。また、カバー上部固定部３２は後方端部が上方向に広がるように形成されている。
【００３１】
スピーカーカバー３０の仮止めが完了したら、トリム４０が第１のスリット２３に挿入される。上述のようにスピーカーカバー３０のカバー上部固定部３２がトリム４０を押し上げる力を持つので、トリム４０はそれに抗するように挿入される。トリム４０が完全に第１のスリット２３に挿入されると、トリム４０は、スピーカーカバー３０の上面（カバー上部固定部３２）に密着して配置される。
【００３２】
トリム４０を第１のスリット２３に挿入する際に、トリム係止片２７とカバー上部係止片２８がずれた位置にあることから、それぞれの係止位置において若干の変形余地があることから、比較的スムーズにトリム４０の取り付けが可能となる。つまり、トリム係止片２７及びカバー上部係止片２８を回避するように波打たせる形でトリム４０を挿入することができる。そして、トリム４０の挿入後は、トリム４０とスピーカーカバー３０とが互いに相手を押す形になるので、安定した固定がなされる。また、図視のように、第１のスリット２３の上側前方位置は、カバー上部固定部３２の形成開始位置（屈曲位置）よりも所定距離後方に位置しているため、トリム４０の挿入時にカバー上部固定部３２に力が作用する位置が端部（後方）に採りやすく、たわませやすい。
【００３３】
以上、本実施形態をまとめると次の通りである。
（１）一般的には、スピーカーカバー３０とトリム４０の取付孔は別であるが、取付スペースを小さくするため共通の孔（第１のスリット２３）とする。
（２）フロントカバー２０へのスピーカーカバー３０とトリム４０の取り付けは、第１のスリット２３の第１の係止開口２５、その第１の係止開口２５の外縁から開口内部方向に突出した凸部（トリム係止片２７、カバー上部係止片２８）と、トリム４０の溝部４３、スピーカーカバー３０のカバー上部固定部３２の上係止開口３５孔を勘合させて取り付ける。取り付け後は、スピーカーカバー３０が上下方向に広がろうとする力、つまり、カバー上部固定部３２とカバー下部固定部３３とが離間するように作用する力によってトリム４０が第１のスリット２３の上側面に押される。その結果、スピーカーカバー３０、トリム４０の取り付け構造は、ガタつきがない状態となる。
（３）トリム４０の溝部４３はフロントカバー２０の第１のスリット２３の第１の係止開口２５の上側の凸部（トリム係止片２７）に勘合する。スピーカーカバー３０のカバー上部固定部３２の上係止開口３５はフロントカバー２０の第１のスリット２３の第１の係止開口２５の下側の凸部（カバー上部係止片２８）に勘合する。
【００３４】
以上のような構成を採用することで、スピーカーカバー３０の上部（カバー上部固定部３２）とトリム４０が密着し、スピーカーカバー３０の構造で発生する弾性力によってトリム４０が常に上方向に付勢される。また、トリム係止片２７とカバー上部係止片２８が左右にずれているので、スピーカーカバー３０とトリム４０を共通に第１のスリット２３に挿入する際には、スピーカーカバー３０及びトリム４０が若干波打つ形で挿入される。挿入後は、トリム４０とスピーカーカバー３０がお互いに相手を押す形になるので、安定して固定される。
【００３５】
特に、トリム係止片２７やカバー上部係止片２８は、近年の薄型表示装置の狭額縁化や軽量化等を背景として、大きな形状とすることできず、係止状態を適切に確保・維持することが難しかった。場合によっては、溶着構造等が必要とされ、コスト等の観点か対策が重要となっていた。しかし、スピーカーカバー３０のカバー上部固定部３２とカバー下部固定部３３とが相対的に離間するような構造を採用することで、トリム４０やスピーカーカバー３０の固定が適切に維持できる。
【００３６】
また、カバー上部固定部３２と第１のスリット２３（スリット下縁２３ｂ）とが離間した状態であるため、カバー上部固定部３２のたわみによってトリム４０の挿入が比較的スムーズである。また、離間した空間があることから、トリム４０やスピーカーカバー３０の設計変更等に柔軟に対応可能である。つまり、トリム４０等の形状の変更やシール部材等の貼付に伴う寸法（誤差）を離間した空間、つまりたわみで吸収することができる。
【００３７】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３８】
１０  液晶テレビ（表示装置）
１２  表示パネル
２０  フロントカバー（キャビネット）
２１  カバー本体
２２  カバー取付部
２３  第１のスリット
２３ａ、２４ａ  スリット上縁
２３ｂ  スリット下縁
２４  第２のスリット
２５  第１の係止開口
２６  第２の係止開口
２７  トリム係止片（第１の係止部）
２８  カバー上部係止片（第２の係止部）
２９  カバー下部係止片
３０  スピーカーカバー（第２の固定部材）
３１  カバー前面本体（固定部本体）
３２  カバー上部固定部（第１のカバー固定部）
３３  カバー下部固定部（第２のカバー固定部）
３４  上部固定舌部
３５  上係止開口
３６  下部固定舌部
３７  下係止開口
４０  トリム（第１の固定部材）
４１  トリム前部
４２  トリム後部（固定部）
４３  溝部（固定部）
４４  下面
【図１】
2014232259.tif 000003
【図２】
2014232259.tif 000004
【図３】
2014232259.tif 000005
【図４】
2014232259.tif 000006
【図５】
2014232259.tif 000007
【図６】
2014232259.tif 000008
【図７】
2014232259.tif 000009
【図８】
2014232259.tif 000010
【図９】
2014232259.tif 000011
【図１０】
2014232259.tif 000012
【図１１】
2014232259.tif 000013
【図１２】
2014232259.tif 000014